(57)【特許請求の範囲】
【請求項１】
赤色サブピクセル、緑色サブピクセル、及び青色サブピクセルを含むサブピクセルの行及び列を有する液晶ディスプレイであって、
上部ディスプレイ層及び下部ディスプレイ層と、
前記上部ディスプレイ層と下部ディスプレイ層の間の液晶材料の層と、を備え、
前記上部ディスプレイ層及び下部ディスプレイ層のうちの１つは、
基板と、
前記サブピクセル用のピクセル電極と、を含み、前記ピクセル電極は、前記基板上に形成され、前記ピクセル電極は、長軸を有し、前記液晶材料中の液晶分子は、前記ピクセル電極による電界の印加に先立っては最初は回転しておらず前記ピクセル電極の前記長軸に対して双極子対電極軸角度をなす付帯する双極子を有し、各行の前記緑色及び青色サブピクセルは第１の双極子対電極軸角度を有し、各行の前記赤色サブピクセルは前記第１の双極子対電極軸角度よりも小さい第２の双極子対電極軸角度を有している、液晶ディスプレイ。
【請求項２】
前記ピクセル電極はシェブロン形状を有し、前記赤色サブピクセルの前記ピクセル電極は、前記緑色及び青色サブピクセルの前記ピクセル電極の前記シェブロン形状よりも列方向からの曲がりが小さいシェブロン形状を有する、請求項１に記載の液晶ディスプレイ。
【請求項３】
前記青色及び緑色サブピクセルは、前記赤色サブピクセルとは異なる形状のピクセル電極を有し、前記青色及び緑色サブピクセルは、前記赤色サブピクセルとは異なる形状を有する正規化透過率対印加電圧曲線を示す、請求項１に記載の液晶ディスプレイ。
【請求項４】
前記上部ディスプレイ層及び下部ディスプレイ層のうちの他の１つの基板上に、前記サブピクセルのための開口部を有する黒色マスキング層をさらに備え、前記ピクセル電極は前記開口部と整列している、請求項１に記載の液晶ディスプレイ。
【請求項５】
複数の異なる色のサブピクセルを含むピクセルの行及び列を有する液晶ディスプレイであって、
上部ディスプレイ層及び下部ディスプレイ層と、
前記上部ディスプレイ層と下部ディスプレイ層の間の液晶材料の層と、を備え、
前記上部ディスプレイ層及び下部ディスプレイ層のうちの１つは、
基板と、
前記サブピクセル用のピクセル電極と、を含み、前記ピクセル電極は、前記基板上に形成され、前記ピクセル電極は、長軸を有し、前記液晶材料中の液晶分子は、前記ピクセル電極による電界の印加に先立っては最初は回転しておらず前記ピクセル電極の前記長軸に対して双極子対電極軸角度をなす付帯する双極子を有し、前記複数の異なる色の前記サブピクセルは、赤色サブピクセル、青色サブピクセル、及び緑色サブピクセルを含み、前記赤色サブピクセルの前記双極子対電極軸角度は前記緑色及び青色サブピクセルの前記双極子対電極軸角度とは異なり、前記緑色及び青色サブピクセルの前記双極子対電極軸角度は同じであり、前記ピクセル電極はシェブロン形状を有し、前記青色サブピクセルの前記ピクセル電極の前記シェブロン形状は、前記赤色サブピクセルの前記ピクセル電極の前記シェブロン形状よりも、列方向からの曲がりが大きい、液晶ディスプレイ。
【請求項６】
前記赤色サブピクセルの前記双極子対電極軸角度は、前記緑色及び青色サブピクセルの前記双極子対電極軸角度よりも小さい、請求項５に記載の液晶ディスプレイ。
【請求項７】
所与のスイッチング電圧に対して、前記赤色サブピクセルのスイッチング速度は前記緑色及び青色サブピクセルのスイッチング速度よりも遅い、請求項１に記載の液晶ディスプレイ。
【発明の詳細な説明】
【背景技術】
【０００１】
本願は、２０１５年１１月２０日に出願された米国特許出願第１４／９４７３５６号、２０１５年９月１０日に出願された米国特許出願第１４／８５００１５号、及び２０１５年３月４日に出願された仮特許出願第６２／１２８４５３号への優先権を主張し、これらはその全体が参照により本明細書に組み込まれる。
本出願は、広くは電子デバイスに関し、より具体的には、ディスプレイを有する電子デバイスに関する。
【０００２】
電子デバイスは、多くの場合、ディスプレイを含む。例えば、セルラー電話機及びポータブルコンピュータは、多くの場合、ユーザに情報を呈示するためのディスプレイを含む。
【０００３】
液晶ディスプレイは、液晶材料の層を含む。液晶ディスプレイ内のピクセルは、薄膜トランジスタと、液晶材料に電界を印加するための電極とを含む。ピクセル内の電界の強さは液晶材料の偏光状態を制御し、それによってピクセルの輝度を調整する。
【０００４】
液晶ピクセルが切り替わる速度は、印加電圧の関数として変化し得る。その結果、黒色ピクセルをグレーレベルに切り替えるのに要する時間は、黒色ピクセルを白色レベルに切り替えるのに必要な時間よりも長くなる。状況によっては、色付き背景を有する画面上に黒色のオブジェクトを移動することが望ましい場合がある。このタイプのシナリオでは、異なる色のサブピクセルが異なる目標ピクセル値を有することができ、従って異なる速度で切り替えることができる。これは、黒色のオブジェクトが動かされたときに不快なカラーモーションブラー効果をもたらし得る。
【０００５】
従って、カラーモーションブラーが低減されたディスプレイなどの、電子デバイス用の改善されたディスプレイを提供可能であることが望ましいであろう。
【発明の概要】
【０００６】
ディスプレイは上部ディスプレイ層及び下部ディスプレイ層を有し得る。上部ディスプレイ層と下部ディスプレイ層の間に液晶材料の層を介在させることができる。ディスプレイは、上部及び下部偏光子、並びにディスプレイ層の照明を提供するためのバックライトを含むことができる。カラーフィルタ素子のアレイを使用して、ディスプレイにカラー画像を表示する能力を提供することができる。カラーフィルタ素子は、赤色、緑色及び青色の素子又は異なる色のカラーフィルタ素子を含むことができる。ディスプレイは、赤色、緑色及び青色のカラーフィルタ素子を使用して形成された赤色、緑色及び青色のサブピクセルなどのサブピクセルをそれぞれ有するピクセルのアレイを有することができる。
【０００７】
ディスプレイ層は、サブピクセルの各々の液晶材料の層に電界を印加するためのサブピクセル電極を有する薄膜トランジスタ回路の層を含むことができる。異なる色のサブピクセルは、異なる電極形状（例えば、異なる角度に方向付けられたフィンガ）を有してもよく、及び／又は異なる液晶層の厚さを有してもよい。これらのサブピクセルの差異は、ある色のオブジェクトが別の色の背景を横切って移動したときのカラーモーションブラーを低減するために、ある色のサブピクセルのスイッチング速度を他のサブピクセルに対して遅くするように構成することができる。
【図面の簡単な説明】
【０００８】
【図１】一実施形態に係る、ディスプレイを有するラップトップコンピュータなどの例示的な電子デバイスの斜視図である。
【０００９】
【図２】一実施形態に係る、ディスプレイを有する携帯型電子デバイスなどの例示的な電子デバイスの斜視図である。
【００１０】
【図３】一実施形態に係る、ディスプレイを有するタブレットコンピュータなどの例示的な電子デバイスの斜視図である。
【００１１】
【図４】一実施形態に係る、ディスプレイ構造を有するコンピュータディスプレイなどの例示的な電子デバイスの斜視図である。
【００１２】
【図５】一実施形態に係る、例示的なディスプレイの断側面図である。
【００１３】
【図６】一実施形態に係る、ディスプレイ内のピクセルのアレイの一部の上面図である。
【００１４】
【図７】背景に対するオブジェクトの動きが、どのように、オブジェクトの前縁部及び後縁部に沿ってピクセルを変色させ、それによりカラーモーションブラー効果を生成する可能性を有するかを示す図である。
【００１５】
【図８】一実施形態に係る、図７のオブジェクトの移動に関連するような色遷移中に、ディスプレイ内の赤色、緑色、及び青色のサブピクセルが、どのように、異なる目標ピクセル値を有し得て、したがって、異なる速度で切り替わるポテンシャルを有するか、を示すグラフである。
【００１６】
【図９】一実施形態に係る、カラーモーションブラー効果を低減する例示的なピクセルパターンを有するディスプレイの一部の上面図である。
【００１７】
【図１０】一実施形態に係る、異なるタイプのサブピクセルに対して例示的な正規化透過率対印加ピクセル電圧曲線をプロットしたグラフである。
【００１８】
【図１１】一実施形態に係る、電極フィンガが中心及び端部キンクを有するシェブロン形状を有するピクセル電極の例示的なセットの上面図である。
【００１９】
【図１２】一実施形態に係る、サブピクセル内の電極が、どのように異なる方向角及び端部キンクを有するフィンガを有するかを示す異なる色のサブピクセルの例示的なセットの上面図である。
【００２０】
【図１３】一実施形態に係る、電極のフィンガが、どのように異なる方向角を有し得るか、及びディスプレイ内のピクセルアレイの連続する行においてどのように正と負の方向角を交互にとり得るか、を示す、異なる色のサブピクセルの例示的なセットの上面図である。
【００２１】
【図１４】一実施形態に係る、カラーモーションブラー効果を低減するために、異なる色のサブピクセルに対して液晶層の厚さが異なる例示的なディスプレイの断面側面図である。
【発明を実施するための形態】
【００２２】
電子デバイスはディスプレイを含んでよい。ディスプレイを使用してユーザに画像を表示できる。ディスプレイを備え得る例示的な電子デバイスを図１、図２、図３、及び図４に示す。
【００２３】
図１は電子デバイス１０が、どのようにキーボード１６及びタッチパッド１８などの構成要素を備える上部筐体１２Ａ及び下部筐体１２Ｂを有するラップトップコンピュータの形状を有し得るかを示す。デバイス１０は上部筐体１２Ａが下部筐体１２Ｂに対して回転軸２４を中心に方向２２へ回転することを可能にするヒンジ構造２０を有し得る。ディスプレイ１４は上部筐体１２Ａ内に搭載され得る。ディスプレイ筐体又は蓋と称されることもあり得る上部筐体１２Ａは上部筐体１２Ａを回転軸２４を中心に下部筐体１２Ｂに向かって回転することにより閉位置に置かれてもよい。
【００２４】
図２は電子デバイス１０がどのように携帯電話、音楽プレーヤー、ゲーミングデバイス、ナビゲーションユニット又はその他の小型デバイスなどの携帯用デバイスであり得るかを示す。デバイス１０のこのタイプの構成において、筐体１２は反対側にある前側及び後側表面を有し得る。筐体１２の正面にディスプレイ１４を搭載することができる。所望であれば、ディスプレイ１４は、ボタン２６などの部品のための開口部を有してもよい。開口部は、スピーカポート（例えば、図２のスピーカポート２８を参照）を収容するようにディスプレイ１４内に形成されてもよい。
【００２５】
図３は電子デバイス１０がどのようにタブレットコンピュータであり得るかを示す。図３の電子デバイス１０内において筐体１２は反対側にある平面の前側及び後側表面を有し得る。ディスプレイ１４を筐体１２の前面に搭載することができる。図３に示すように、（一例として）ボタン２６を収容するように、ディスプレイ１４は開口部を有し得る。
【００２６】
図４は電子デバイス１０がどのようにコンピュータディスプレイであり得るか、又はコンピュータディスプレイに一体化されるコンピュータであり得るか、を示す。このタイプの構成では、デバイス１０のための筐体１２は、スタンド２７などの支持構造上に載置され得る、又はスタンド２７は省略され得る（例えば、デバイス１０を壁に掛けるため）。筐体１２の正面にディスプレイ１４を搭載することができる。
【００２７】
図１、図２、図３、及び図４に示すデバイス１０の例示的構成は単なる例示に過ぎない。一般に、電子デバイス１０は、ラップトップコンピュータ、組み込み型コンピュータを含むコンピュータモニタ、タブレットコンピュータ、携帯電話、メディアプレーヤ、又はその他のハンドヘルド型若しくはポータブル電子デバイス、腕時計型デバイス、ペンダント型デバイス、ヘッドホン型若しくはイヤホン型デバイスなどのより小さいデバイス又はその他の着用可能な若しくはミニチュアデバイス、組み込み型コンピュータを含まないコンピュータディスプレイ、ゲーミングデバイス、ナビゲーションデバイス、ディスプレイを有する電子装置をキオスク又は自動車に搭載するシステムなどの組み込みシステム、２つ以上のこれらのデバイスの機能を実装する装置、又はその他の電子装置であってもよい。
【００２８】
ケースと称されることもあるデバイス１０の筐体１２はプラスチック、ガラス、セラミックス、炭素繊維複合材及びその他の繊維系複合材、金属（例えば、加工されたアルミニウム、ステンレス鋼又はその他の金属）、その他の材料又はこれらの材料の組み合わせなどの材料で形成することも可能である。筐体１２の大部分又はすべてが単一の構造要素（例えば、一片の加工された金属又は一片の成形プラスチック）から形成されている一体構造を用いてデバイス１０を形成してもよく、又は複数の筐体構造体（例えば、内部フレーム要素又はその他の内部筐体構造体に搭載されている外部筐体構造体）から形成されてよい。
【００２９】
ディスプレイ１４はタッチセンサを含むタッチセンシティブディスプレイであってもよく、又はタッチに反応しなくてもよい。ディスプレイ１４のタッチセンサは容量性タッチセンサ電極のアレイ、抵抗性タッチアレイ、音響タッチ、光学式タッチ若しくは感圧式タッチ技術に基づくタッチセンサ構造体又はその他の好適なタッチセンサコンポーネントから形成されてよい。
【００３０】
デバイス１０のディスプレイ１４は、液晶ディスプレイ（ＬＣＤ）構成要素から形成されたピクセルを含むことができる。ディスプレイカバー層はディスプレイ１４の表面又はカラーフィルタ層などのディスプレイ層を覆ってもよく、又はディスプレイのその他の部分をディスプレイ１４内の最も外側の（又はほぼ最も外側の）層として用いてもよい。最も外側のディスプレイ層は、透明なガラス板、透明なプラスチック層又は他の透過な部材から形成されてもよい。
【００３１】
デバイス１０のディスプレイ１４についての（例えば、図１、図２、図３、図４のデバイス又はその他の好適な電子デバイスのディスプレイ１４についての）例示的な構成の断面側面図を図５に示す。図５に示すように、ディスプレイ１４は、バックライト４４を生成するためのバックライトユニット４２などのバックライト構造体を含むことができる。動作中に、バックライト４４が（図５の向きにおいてＺ次元に垂直上向きに）外側へ進み、ディスプレイ層４６内のディスプレイピクセル構造体を通過する。これはユーザが見るためにディスプレイピクセルにより生成されている任意の画像を照らす。例えば、バックライト４４は方向５０のビューア４８により見られているディスプレイ層４６上の画像を照らすことができる。
【００３２】
筐体１２内に搭載するためのディスプレイモジュールを形成するために、ディスプレイ層４６をプラスチックシャーシ構造体及び／又は金属シャーシ構造体などのシャーシ構造体に搭載することができる、又はディスプレイ層４６を（例えば、ディスプレイ層４６を筐体１２内の凹部分に積層することにより）筐体１２内に直接搭載することができる。ディスプレイ層４６は液晶ディスプレイを形成でき、又はその他の種類のディスプレイを形成するのに用いることもできる。
【００３３】
ディスプレイ層４６は、液晶層５２などの液晶層を含むことができる。液晶層５２をディスプレイ層５８及び５６などのディスプレイ層の間に挟むことができる。層５６及び５８は、下部偏光子層６０と上部偏光子層５４の間に挟まれてもよい。
【００３４】
層５８及び５６は、ガラス又はプラスチックのクリア層などの透明基板層から形成されてもよい。層５８及び５６は薄膜トランジスタ層及び／又はカラーフィルタ層などの層であってもよい。（例えば、薄膜トランジスタ層及び／又はカラーフィルタ層を形成するために）導電性配線、カラーフィルタ素子、トランジスタ並びにその他の回路及び構造体を層５８及び５６の基板上に形成してよい。タッチセンサ電極は、層５８及び５６などの層の中に組み込まれてもよく、及び／又はタッチセンサ電極はその他の基板上に形成されてもよい。
【００３５】
１つの例示的な構成では、層５８は、薄膜トランジスタに基づくピクセル回路のアレイ及び液晶層５２に電界を印加してディスプレイ１４上に画像を表示するための関連する電極（ピクセル電極）を備える薄膜トランジスタ層であってもよい。層５６はカラー画像を表示する能力を有するディスプレイ１４を提供するためのカラーフィルタ素子のアレイを含むカラーフィルタ層であってもよい。所望する場合、層５８はカラーフィルタ層であってもよく、層５６は薄膜トランジスタ層であってもよい。カラーフィルタ素子をディスプレイ１４の上部又は下部の共通基板層上で薄膜トランジスタ構造と組み合わせた構成も使用することができる。
【００３６】
デバイス１０内のディスプレイ１４の動作中に、制御回路（例えば、プリント回路上の１つ以上の集積回路）を使用して、ディスプレイ１４上に表示される情報（例えば、表示データ）を生成してもよい。表示される情報は（一例として）プリント回路６４などのリジッド又はフレキシブルプリント回路内の導電性金属トレースから形成される信号経路などの信号経路を用いて、回路６２Ａ又は６２Ｂなどのディスプレイドライバ集積回路に伝達されてもよい。
【００３７】
バックライト構造４２は導光板７８などの導光板を含んでもよい。導光板７８は、クリアガラス又はプラスチックなどの透明材料から形成されてもよい。バックライト構造４２の動作中に、光源７２などの光源は光７４を発生させることができる。光源７２は、例えば、発光ダイオードのアレイであってもよい。
【００３８】
光源７２からの光７４を導光板７８の縁部面７６に連結してよく、内部全反射の原理により導光板７８全体を通して次元Ｘ及びＹに分配してもよい。導光板７８はピット又はバンプなどの光散乱機構を含んでもよい。光散乱機構は導光板７８の上部表面上に及び／又は反対側にある下部表面上に配置されてもよい。光源７２は、図５に示すように導光板７８の左に配置されてもよく、導光板７８の右端及び／又は導光板７８の他の縁部に沿って配置されてもよい。
【００３９】
導光板７８から方向Ｚに上向きに散乱する光７４はディスプレイ１４のバックライト４４として機能してもよい。下向きに散乱する光７４はリフレクタ８０により上向きの方向に反射されて戻ることができる。リフレクタ８０は、誘電体ミラー薄膜コーティングで覆われたプラスチックの層などの反射材料から形成されてもよい。
【００４０】
バックライト構造４２のバックライト性能を高めるために、バックライト構造４２は光学フィルム７０を含んでもよい。光学フィルム７０はバックライト４４を均質化するのに役立つ拡散層を含んでもよく、それによってホットスポット、軸外視聴を強化するための補償フィルム及びバックライト４４をコリメートするための輝度向上フィルム（回転フィルムと称されることもある）を減らす。光学フィルム７０は導光板７８及びリフレクタ８０などのバックライトユニット４２内のその他の構造体に重なってもよい。例えば、導光板７８が図５のＸ−Ｙ平面に長方形の設置面積を有する場合、光学フィルム７０及びリフレクタ８０は適合する長方形の設置面積を有し得る。所望であれば、補償フィルムなどのフィルムをディスプレイ１４の他の層（例えば、偏光子層）に組み込むことができる。
【００４１】
図６に示すように、ディスプレイ１４は、ピクセルアレイ９２などのピクセルのアレイ９０を備え得る。ピクセルアレイ９２は、ディスプレイドライバ回路によって生成される制御信号を用いて制御され得る。ディスプレイドライバ回路は、１つ以上の集積回路（ＩＣ）及び／又は薄膜トランジスタ若しくはその他の回路によって実装され得る。
【００４２】
デバイス１０の動作中に、メモリ回路、マイクロプロセッサ、並びに他の記憶及び処理回路などのデバイス１０内の制御回路が、ディスプレイドライバ回路にデータを提供し得る。ディスプレイドライバ回路は、ピクセルアレイ９２のピクセル９０を制御するためにデータを信号に変換してもよい。
【００４３】
ピクセルアレイ９２は、ピクセル９０の行及び列を含んでもよい。ピクセルアレイ９２の回路（すなわち、ピクセル９０のピクセル回路の行及び列）は、データ線Ｄ上のデータ線信号及びゲート線Ｇ上のゲート線信号などの信号を用いて制御することができる。データ線Ｄ及びゲート線Ｇは直交している。例えば、データ線Ｄは垂直に延伸し得て、ゲート線Ｇは水平（即ち、データ線Ｄに対して垂直）に延伸し得る。
【００４４】
ピクセルアレイ９２内のピクセル９０は、薄膜トランジスタ回路（例えば、ポリシリコントランジスタ回路、アモルファスシリコントランジスタ回路、ＩｎＧａＺｎＯトランジスタ回路などの半導体酸化物トランジスタ回路、他のシリコン又は半導体酸化物トランジスタ回路など）及びディスプレイ１４内の液晶層５２にわたって電界を生成するための関連する構造を備えてもよい。各ディスプレイピクセルは、１つ以上の薄膜トランジスタを有してもよい。例えば、各ディスプレイピクセルは、液晶層５２の対応するピクセルサイズ部分５２’への電界の印加を制御するために、薄膜トランジスタ９４などの対応する薄膜トランジスタを有してもよい。
【００４５】
ピクセル９０を形成するのに用いられる薄膜トランジスタ構造は、ガラスの層などの薄膜トランジスタ基板上に配置されてもよい。薄膜トランジスタ基板及び薄膜トランジスタ基板の表面に形成されるディスプレイピクセル９０の構造は、集合的に薄膜トランジスタ層５８を形成する（図５）。
【００４６】
ゲート線Ｇ上にゲート信号を生成するために、ゲートドライバ回路を用いてもよい。ゲートドライバ回路は薄膜トランジスタ層上の薄膜トランジスタから形成されてもよく、又は別個の集積回路に実装されてもよい。ピクセルアレイ９２内のデータ線Ｄ上のデータ線信号は、アナログ画像データ（例えば、ピクセルの輝度レベルを表す大きさを有する電圧）を送る。ディスプレイ１４に画像を表示する処理中に、ディスプレイドライバ集積回路又はその他の回路は制御回路からデジタルデータを受信してもよく、対応するアナログデータ信号を生成してもよい。アナログデータ信号は逆多重化されてデータ線Ｄに提供されてもよい。
【００４７】
データ線Ｄ上のデータ線信号は、ピクセルアレイ９２内のディスプレイピクセル９０の列に分配される。ゲート線Ｇ上のゲート線信号は、関連するゲートドライバ回路によってピクセルアレイ９２内のピクセル９０の行に提供される。
【００４８】
ディスプレイ１４の回路は導電性構造体（例えば、インジウムスズ酸化物などの透明導電性材料から形成される金属線及び／又は構造体）から形成されてもよく、ディスプレイ１４の薄膜トランジスタ基板層上に形成される図６のトランジスタ９４などのトランジスタを含んでもよい。薄膜トランジスタは、例えば、シリコン薄膜トランジスタ又は半導体酸化物薄膜トランジスタであってもよい。
【００４９】
図６に示すように、ピクセル９０などのピクセルは、アレイ９２内の各ゲート線Ｇ及びデータ線Ｄの交点に配置されてもよい。各データ線Ｄ上のデータ信号は、データ線Ｄのうちの１つから端子９６に供給されてもよい。薄膜トランジスタ９４（例えば、薄膜ポリシリコントランジスタ、アモルファスシリコントランジスタ、又はインジウムガリウム亜鉛酸化物などの半導体酸化物から形成されるトランジスタなどの酸化物トランジスタ）は、ゲート線Ｇ上のゲート線制御信号を受信するゲート９８などのゲート端子を有してもよい。ゲート線制御信号がアサートされると、トランジスタ９４はオンになり、端子９６でのデータ信号はピクセル電圧Ｖｐとしてノード１００に渡される。ディスプレイ１４のためのデータはフレームで表示されてもよい。各行において、その行のピクセルにデータ信号を渡すためにゲート線信号がアサートされた後に、ゲート線信号はアサートを停止してもよい。次のディスプレイフレームでは、各行のためのゲート線信号は、トランジスタ９４をオンにするためにアサートされ、Ｖｐの新しい値をキャプチャしてもよい。
【００５０】
ピクセル９０は、コンデンサ１０２などの信号蓄積素子又は他の電荷蓄積素子を有してもよい。蓄積キャパシタ１０２は、フレーム間に（すなわち、連続するゲート信号のアサート間の時間期間内に）ピクセル９０内の信号Ｖｐを蓄積するのを助けるために使用されてもよい。
【００５１】
ディスプレイ１４はノード１０４に連結されるコモン電極を有してもよい。コモン電極（コモン電圧電極、Ｖｃｏｍ電極、又はＶｃｏｍ端子と呼ばれることもある）は、コモン電極電圧Ｖｃｏｍなどのコモン電極電圧を、アレイ９２の各ピクセル９０内のノード１０４などのノードに分配するのに使用されてもよい。図６の例示的な電極パターン１０４’によって示されるように、Ｖｃｏｍ電極１０４は、インジウムスズ酸化物、インジウム亜鉛酸化物、他の透明導電性酸化物材料、及び／又は十分に薄くて透明である金属層（例えば、電極１０４は、アレイ９２のピクセル９０のすべてを覆うインジウムスズ酸化物又は他の透明導電層の層から形成されてもよい）などの透明導電性材料のブランケットフィルムを用いて実装され得る。
【００５２】
各ピクセル９０では、コンデンサ１０２がノード１００と１０４の間で連結されてもよい。ピクセルの液晶材料（液晶材料５２’）を通る電界を制御するのに使用されるピクセル９０の電極構造により、ノード１００とノード１０４の間に並列キャパシタンスが生じる。図６に示すように、電極構造１０６（例えば、液晶材料５２’に電界を印加するための複数のフィンガを有するディスプレイピクセル電極又は他のディスプレイピクセル電極）は、ノード１００に連結されてもよい（又はノード１０４にて複数フィンガのディスプレイピクセル電極が形成されてもよい）。動作中、電極構造１０６は、ピクセル９０内のピクセルの大きさを有する液晶材料５２’にわたって、制御された電界（すなわち、Ｖｐ−Ｖｃｏｍに比例する強さを有する電界）を印加するのに用いてもよい。蓄積キャパシタ１０２とピクセル９０のピクセル構造によって形成される並列キャパシタンスにより、Ｖｐの値（従って、液晶材料５２’にかかる関連する電界）は、ノード１０６と１０４にわたってフレームの持続期間の間、維持され得る。
【００５３】
液晶材料５２’にわたって生成される電界は、液晶材料５２’内の液晶の配向に変化を生じさせる。これは、液晶材料５２’を透過する光の偏光を変化させる。この偏光の変化は、図５の偏光子６０及び５４と併せて、ディスプレイ１４のアレイ９２内の各ピクセル９０を透過する光４４の量を制御するのに用いられてもよい。
【００５４】
カラーディスプレイなどのディスプレイでは、カラーフィルタ層５６を使用して、異なるピクセルに異なる色を付与する。一例として、ディスプレイ１４の各ピクセル９０は、異なるそれぞれの色をそれぞれ有する３つ（又は４つ以上）の異なるサブピクセルを含むことができる。一例として本明細書で時には説明されることがある１つの適切な構成では、各ピクセル９０は、赤色サブピクセル、緑色サブピクセル、及び青色サブピクセルを有する。各サブピクセルは、独立して選択されたピクセル電圧Ｖｐで駆動される。各サブピクセルの電極に供給される電圧の量は、それぞれのデジタルピクセル値（例えば、０〜２５５の範囲の値、又は他の適切なデジタル範囲）に関連付けられる。所望のピクセルの色は、ピクセル内の３つのサブピクセルのそれぞれのピクセル値を調整することによって生成することができる。例えば、黒色ピクセルは、赤色サブピクセルの０ピクセル値、緑色サブピクセルの０ピクセル値、及び青色サブピクセルの０ピクセル値に関連付けられ得る。別の例として、橙色ピクセルは、赤色、緑色、及び青色のサブピクセルに対して２４５、１７８、及び６６のピクセル値と関連付けられ得る。白色は、２５５、２５５、２５５のピクセル値で表すことができる。
【００５５】
ディスプレイ１４内のピクセルの応答時間は、電極１０６に印加される液晶スイッチング電圧の大きさの関数として変化し得る。赤色、緑色、青色のピクセル値が（０，０，０）である黒色ピクセルを白色ピクセル（２５５、２５５、２５５）に切り替える場合、各サブピクセル（赤色、緑色、青色）には同じ目標ピクセル値（すなわち、２５５）が与えられ、同じ初期ピクセル値（すなわち、０）から開始するので、スイッチング中に液晶層５２に印加される電圧は、各サブピクセルについて同じである。その結果、すべてのサブピクセルが同時に切り替わる。このタイプの切り替えシナリオは、白色背景に対して黒色のテキスト、黒色のカーソル、又はその他の黒色のアイテムを移動するときに生じ得る。
【００５６】
他のピクセルスイッチングシナリオは、異なるピクセル値を有する異なる色のサブピクセルを駆動するときに生じる同等でない応答時間のために、カラーモーションブラーを生成し得る。一例として、黒色（０、０、０）から橙色（２４５、１７８、６６）に切り替えるときのピクセルの応答を考える。この状況では、赤色サブピクセルにわたって大きな電圧降下が現れ（すなわち、２４５の前後のデジタル値の差に関連する電圧降下）、緑色サブピクセル（１７８のピクセル値の変化に関連する電圧）及び青色サブピクセル（６６のピクセル値変化）にわたって低い電圧降下が現れる。赤色サブピクセル上の電圧（従って、赤色電極１０６によって液晶層に印加される電界）が比較的大きいので、赤色サブピクセルの液晶分子は緑色及び青色のサブピクセルの液晶分子よりも速く回転する。従って、赤色サブピクセルは、緑色と青色のサブピクセルがそれぞれ黒色から緑色、黒色から青色へ切り替わるよりも速く、（黒色から赤色へ）色を変化させるであろう。異なる色のサブピクセルの異なるスイッチング速度は、不快な視覚的アーチファクトをもたらし得る。黒色アイテムがオレンジ色の背景を横切って移動させられる本実施例では、赤色サブピクセルの比較的速いスイッチング速度は、望ましくない赤色モーションブラー効果を生成する可能性を有する。
【００５７】
カラーモーションブラー効果は、移動するオブジェクトの前縁部と移動するオブジェクトの後縁部の両方で発生し得る。例えば、図７のディスプレイ１４の背景１１０を横切るオブジェクト１１２の動きを考える。オブジェクト１１２は、第１の色（例えば、黒色）を有し、背景１１０は、第２の色（例えば、橙色）を有し得る。オブジェクト１１２は、黒色テキスト（例として）であってもよい。背景１１０は、暖かい周囲照明環境（例えば、屋内照明）においてユーザに電子書籍を提示する場合に望ましい色を有してもよい。オブジェクト１１２は、スクロール中に上下に、パンニングの時に左右になど、背景１１０を横切って移動することができる。図７では、オブジェクト１１２は、方向１１４において右に移動している。
【００５８】
後縁部１１８において、黒色ピクセル（０、０、０）は橙色（２４５、１７８、６６）に切り替えられている。黒色から白色へのスイッチング速度（立ち上がり時間）は、スイッチング電圧レベルによってかなり変わり得る。赤色ピクセルは、黒色から橙色に切り替えるとき、緑色ピクセル及び青色ピクセルよりも大きなスイッチング電圧を提供されるので、領域１１６内の赤色ピクセルは、緑色ピクセル及び青色ピクセルよりも速く黒色から切り替わることがあり、領域１１８にぼやけた色をもたらす。特に、領域１１８内のディスプレイ１４のピクセルは、青色及び緑色サブピクセルに較べて赤色サブピクセルのスイッチング速度が上回ることにより、顕著な赤色を発色する可能性がある。
【００５９】
オブジェクト１１２の前縁部１１６において、ピクセルは背景色１１０からオブジェクト１１２の色に切り替わる。例えば、前縁部１１６のピクセルは、（２４５、１７８、６６）から黒色（０、０、０）に切り替わり得る。この状況における赤色ピクセルは、緑色及び青色のピクセルよりわずかに遅い立ち下がり時間を示すことができ、グレーモーションブラーをもたらす。
【００６０】
特定の色の遷移中に、異なる色のピクセルが異なる速度でどのように切り替わる可能性を有するかを示すグラフが、図８のグラフに示されている。サブピクセル透過率Ｔ（サブピクセル出力強度に比例する）が時間ｔの関数としてプロットされている。図８の実施例において、図７の後縁部１１８の状況が示されている。最初（時刻ｔ１で）、ピクセルは黒色（０、０、０）である。時刻ｔ３において、オブジェクト１１２は縁部１１８から離れて移動し、各サブピクセルは、それらの所望の目標値を獲得するのに十分な時間を有する（すなわち、赤色サブピクセルは値２４５を獲得し、緑色サブピクセルは値１７８を獲得し、青色サブピクセルは値６６を獲得した）。時間ｔ１とｔ３の中間の時間における従来のディスプレイの赤色、緑色及び青色のサブピクセルのスイッチングの進行が、曲線１２０（赤色用）、１２２（緑色用）、及び１２４（青色用）によって示されている。これらの曲線（図８のグラフでは正規化されていない）は、異なる速度で遷移を示す。緑色及び青色の曲線１２２及び１２４は、比較的ゆっくりと遷移する。赤色のサブピクセルの目標値が比較的高いので（２４５）、赤色の曲線（曲線１２０）が急激に遷移する。赤色曲線１２０は、緑色曲線１２２及び青色曲線１２４と比較して急に上昇するので、（時間ｔ２に関連する）後縁部１１８のピクセルの色は、色が過度に赤色になる。
【００６１】
後縁部１１８における赤色、緑色及び青色のサブピクセル間の所望のバランスを回復させ、従って赤色モーションブラー効果を最小にするために、ディスプレイ１４のサブピクセルを、特定のスイッチングシナリオ（例えば、本実施例に関連して説明したように黒色から橙色に切り替えるとき及び／又は他の色の組み合わせ間で切り替えるとき）において、赤色、緑色及び青色のサブピクセルのスイッチング速度を等しくするように構成してもよい。特に、赤色サブピクセルの形状及び／又は液晶層の厚さを、緑色及び青色サブピクセルのスイッチング速度に対して赤色サブピクセルスイッチング速度を遅くするように構成してもよい。このように構成した場合、ディスプレイ１４は、曲線１２６のようなより遅い赤色ピクセルスイッチング特性を示す。時間ｔ２のような中間時点（すなわち、後縁部１１８のピクセルの場合）では、曲線１２６に関連する赤色サブピクセルのピクセル値は、時間ｔ２における緑色サブピクセル及び青色サブピクセルのピクセル値に比べて過大ではない。その結果、縁部１１８は、過度に赤みを帯びて表示されず、赤色のモーションブラー効果は抑制されるであろう。
【００６２】
ピクセルスイッチング特性は、電極の幾何学的形状及びピクセルセルの厚さ（すなわち、液晶層の厚さ）などの要因によって影響され得る。ピクセルのスイッチング速度を選択的に調整する１つの方法は、特定のサブピクセルにおける電極１０６のレイアウトを変更することを含む。このタイプの配置構成を図９に示す。図９の例では、ディスプレイ１４は、３色のサブピクセルを有する。各サブピクセルは、ブラックマスク１３０の各シェブロン形状の開口部と、シェブロン形状を有する対応する電極フィンガ１０６のセットに関連付けられている。所望であれば、電極１０６及び電極１０６を含むピクセルのための開口部に、シェブロン形状以外の形状（例えば、矩形形状、湾曲した縁部を有するサブピクセル開口部など）を使用することができる。シェブロン形状の電極フィンガ及びピクセル開口部の使用は、単なる例示である。
【００６３】
サブピクセルの形状、特に、各シェブロン形状の開口部のアームの角度広がり及びサブピクセル電極のシェブロン形状のフィンガの関連する角度広がりは、異なる色のサブピクセルに対して異なるように構成することができる。図９の例では、赤色サブピクセル９０Ｒは、Ｘ軸に対して角度Ａで角度付けされた縁部１３２と、Ｘ軸に対して角度Ａで同様に角度付けされた平行な長手方向電極軸１３３を有する電極フィンガ１０６を有する。緑色サブピクセル９０Ｇ及び青色サブピクセル９０Ｂの縁部１３２及び軸１３３並びにそれらの電極は、それぞれ、Ｘ軸に対して角度Ｂで傾斜している。Ｂの値は、Ａの値よりも小さくてよい。例えば、赤色サブピクセル９０Ｒのシェブロン（すなわち、シェブロン形状の開口部及びシェブロン形状の電極１０６）は、緑色サブピクセル９０Ｇ及び青色サブピクセル９０Ｂのシェブロンよりも小さく曲げられるように、Ａは８５°及びＢは７５°であってよい。所望であれば、他の角度を使用してもよい。
【００６４】
各サブピクセル内では、ピクセル電極１０６の長手方向軸１３３はシェブロン縁部１３２に平行に延びるので、サブピクセルの異なる形状は、サブピクセルによって生成される電場とサブピクセル内の液晶分子との間で異なる配向をもたらす。
【００６５】
ディスプレイ１４の液晶層５２を構成する液晶材料は、ネガティブ液晶材料であってもよいし、ポジティブ液晶材料であってもよい。ネガティブ液晶は負の誘電率異方性を示し、ポジティブ液晶は正の誘電率異方性を示す。ネガティブ液晶における液晶分子（液晶）は、印加電界に対して垂直に整列する（すなわち、ネガティブ液晶分子の長軸は、電極１０６からの印加電界に対して垂直に配向する）。ポジティブ液晶中の液晶分子は、印加電界に対して平行に整列する（すなわち、ポジティブ液晶分子の長軸は印加電界に対して平行に配向する）。
【００６６】
ディスプレイ１４用のネガティブ液晶構成では、ネガティブ液晶分子の長軸は、電極１０６による電界の印加前はＸ軸に沿って延びる。ディスプレイ１４用のポジティブ液晶構成では、ポジティブ液晶分子の長軸は、電極１０６による電界の印加前はＹ軸に沿って延びる。垂直な初期（回転していない）配向を有するにもかかわらず、サブピクセルの縁部１３０（従って電極１０６の長軸１３３）に対するネガティブ及びポジティブ液晶分子に関連する液晶双極子によって形成される角度は同じである。本実施例では、ネガティブ液晶が回転していないときにＹ軸に沿って延びるネガティブ液晶の双極子は、赤色サブピクセル９０Ｒの縁部１３２に対して９０−Ａの角度をなす（すなわち、非回転ネガティブ液晶の電極１０６の長軸に対する双極子はこの実施例では５°になる）。ポジティブ液晶の双極子は、ポジティブ液晶が回転していないときにはＹ軸に沿って延びているので、赤色サブピクセル９０Ｒの縁部１３２に対して同じ角度９０−Ａをなす（すなわち、電極１０６の長軸に対する回転していないポジティブ液晶の双極子は、本実施例では５°になる）。サブピクセル９０Ｇ及び９０Ｂでは、液晶分子双極子と電極１０６の長軸１３３の間の角度は１５°（すなわち、赤色サブピクセルの角度よりも大きい角度）となる。
【００６７】
緑色及び青色サブピクセルに対する液晶双極子と長手方向電極軸の間の角度が大きくなると、図７に関連して説明したタイプのスイッチングシナリオにおいて、赤色サブピクセルに比べてスイッチング速度が速くなる傾向があり、従って、赤色のモーションブラーに対してディスプレイ１４を補償するであろう。この実施例では、５°及び１５°の角度が使用されているが、所望であれば他の電極軸対液晶双極子角度の値を使用してもよい。サブピクセルがシェブロン形状を有する構成では、赤色サブピクセルのスイッチングを遅くする助けとなるように、緑色サブピクセル及び青色サブピクセルに使用されるよりも平らな（曲がりの小さい）シェブロンを赤色サブピクセルに使用することができ、それにより、青色及び緑色のコンテンツよりも赤色のコンテンツが多い橙色などの色を有する背景に対して黒色のオブジェクトを移動させたときの赤色のモーションブラー効果を抑制する。
【００６８】
図１０は、未修正及び修正された双極子対電極軸角度を有するサブピクセルの印加ピクセル電圧Ｖｐに対して、透過率Ｔをプロットしたシミュレーションのグラフである。角度が修正されていない場合（例えば、１０°）、サブピクセルは、４．５ボルトの印加電圧で２４５の透過レベル（黒色から橙色への本スイッチング実施例において赤色サブピクセルを切り替える所望のレベル）を達成する（曲線１４０）が、赤色サブピクセルが双極子対電極軸の角度５°を示すように修正された場合、わずかに４ボルトの印加でこの同じ所望の透過レベルを達成するであろう（曲線１４２）。修正された配置構成（例えば、赤色ピクセルに対してより曲がりの小さいシェブロンを有する配置構成）を用いてピクセル値２４５を達成するのに必要なピクセル電圧の値がより低いと、赤色サブピクセルをより低い電圧を使用して切り替えることができる。より低いスイッチング電圧（すなわち、この実施例では４．５ボルトの代わりに４ボルト）は、赤色ピクセルスイッチング速度を所望どおりに低下させる。
【００６９】
所望であれば、電極１０６は、キンクを有するシェブロン形状を有してもよい。例えば、図１１の例示的構成に示されているように、電極１０６は、電極のフィンガが互いに平行に延びる主要部分を有することができる（図１１の例示的なサブピクセルのＹ軸に対して例示的な角度９０−Ａのような角度で方向付けられている）。電極におけるキンク１０６Ｋは、Ｙ軸に対して異なる角度（すなわち、９０−Ａより大きい角度）を有する電極の短いセグメントから形成されてもよい。キンク１０６Ｋは、例えば、電極１０６の中心に（すなわち、中央のキンク部分を形成するために）、及び／又は電極１０６の端部に（すなわち、エンドキンクを形成するために）配置することができる。
【００７０】
図１２は、電極１０６が非シェブロン形状を有する電極１０６の例示的レイアウトである。図１２の実施例では、電極フィンガ１０６（すなわち、長手方向電極フィンガ軸１３３）は、各サブピクセルにわたって斜めに延びている。電極フィンガ１０６は、赤色サブピクセル９０ＲのＹ軸に対して９０°の角度に方向付けられている（電極フィンガ軸は液晶双極子に対して角度９０−Ａに方向付けられている）。緑色サブピクセル９０Ｇは、Ｙ軸に対して（液晶双極子に対して）角度９０−Ｂに方向付けられた軸１３３を有する電極フィンガ１０６を有することができる。青色サブピクセル９０Ｂは、同様に、液晶双極子に対して角度９０−Ｂで方向付けられた軸１３３を有する電極フィンガ１０６を有することができ又は、所望であれば、図１２の青色サブピクセル９０Ｂ（及び図９のシェブロン形状青色サブピクセルなどの任意の他の青色サブピクセルなど）は異なる角度（例えば、ＣがＢとは異なりかつＡとは異なる角度９０−Ｃ）を有してもよい。各サブピクセルカラーが異なる角度で方向付けられたフィンガを有する構成は、異なるタイプのカラーモーションブラーに対抗する強化された能力をディスプレイ１４に提供するが、角度Ｃ及びＢが同一であるディスプレイよりも多くの領域を消費することがあり得る。
【００７１】
図１３は、いくつかの行（例えば、行ｎ）のサブピクセルが、軸Ｙからわずかに時計回りに（サブピクセル９０Ｒに対して角度９０−Ａ及びサブピクセル９０Ｇに対して角度９０−Ｂ及び任意選択で青色ピクセル９０Ｂに対して別の角度９０−Ｃなどの角度だけ）回転した電極フィンガ１０６を有し、電極フィンガ１０６が同様に反時計回りにわずかに回転した他の行（例えば行ｎ＋１）を有する、例示的な構成を示す。
【００７２】
一般に、サブピクセル９０Ｒ、９０Ｇ及び９０Ｂは、任意の適切な形状（すなわち、層５２の液晶双極子に対する任意の適切な電極フィンガの方向付け）を有する電極を有してもよい。図９、１１、１２、及び１３の電極構成は単なる例示に過ぎない。
【００７３】
所望であれば、赤色サブピクセルのスイッチング速度は、青色サブピクセル及び緑色サブピクセルに較べて赤色サブピクセルのセルギャップを増加させることによって遅くすることができる。このタイプの構成は、図１４のディスプレイ１４の断面側面図に示されている。図１４に示すように、カラーフィルタ層５６は、カラーフィルタ層基板５６Ａ（例えば、透明なガラス、プラスチック、セラミックなどの透明な材料の層）を有することができる。赤色素子Ｒ、緑色素子Ｇ、及び青色素子Ｂなどのカラーフィルタ素子は、（例えば、光画像形成可能な着色ポリマー及びフォトリソグラフィパターニング技術を使用して）基板５６Ａ上にパターンニングすることができる。黒色マスキング層１３０は、カラーフィルタ素子と整列したシェブロン形状の開口部又は他の適切な開口部を有することができる。
【００７４】
ハーフトーンマスク、複数のマスク及び複数の堆積ステップ、又は他の技術を使用して、オーバーコート層５６Ｂなどの複数の厚さを有する透明なオーバーコート層（例えば、透明な光画像形成可能なポリマー層又は他の適切な層）を、基板５６Ａ上のカラーフィルタ素子のアレイ上に堆積させることができる。層５６Ｂは、ディスプレイ１４の赤色サブピクセルと重なる領域にＴ１の厚さを有し、ディスプレイ１４の緑色及び青色サブピクセルにおいてそれぞれの厚さＴ２及びＴ３などのより大きな厚さを有することができる。厚さＴ２及びＴ３は、互いに等しくてもよいし、異なっていてもよい。結果として、赤色サブピクセルにおける液晶層５２の厚さは、緑色サブピクセル及び青色サブピクセル（それぞれ、Ｄ２及びＤ３）におけるよりも大きい（Ｄ１）。スイッチング速度は、セルギャップが厚くなるほど遅くなる（例えば、立ち下がり時間は液晶の厚さの２乗に比例し、立ち上がり時間は液晶層の厚さが増加すると同様に増加し得る）。青色サブピクセル及び緑色サブピクセルの液晶層厚Ｄ２及びＤ３のより小さい値と比較した場合、赤色サブピクセルの液晶層厚さＤ１の値が大きいほど、従って緑色及び青色サブピクセルスイッチング速度に較べて赤色サブピクセルスイッチング速度が遅くなり、背景１１０のような背景に対してオブジェクト１１２のようなオブジェクトを動かすときに別の方法では生じ得るタイプの赤色モーションブラー効果を補償する。
【００７５】
所望であれば、図１４に示されるタイプの選択的なピクセルギャップ調整スキームを図９、図１１、図１２、及び図１３に示すタイプの選択的電極軸平坦化スキームと組み合わせて使用することができ、及び／又はカラーモーションブラーを補償するために、特定の色のサブピクセルのためのサブピクセル構造に対して他の選択的調整を行うことができる。図９、図１１、図１２、及び図１３の例は単なる例示に過ぎない。
【００７６】
一実施形態によれば、上部及び下部ディスプレイ層、並びに上部及び下部ディスプレイ層間に液晶材料の層を含む、複数の異なる色のサブピクセルを含むピクセルの行及び列を有する液晶ディスプレイが提供され、上部ディスプレイ層と下部ディスプレイ層のうちの少なくとも１つは、基板、及びサブピクセルのピクセル電極を含み、ピクセル電極は基板上に形成され、ピクセル電極は長軸を有し、液晶材料中の液晶分子は、ピクセル電極による電界の印加によって最初は回転しておらず、ピクセル電極の長軸に対して双極子対電極軸角度をなす付帯する双極子を有し、異なる色のサブピクセルの双極子対電極軸角度が異なっている。
【００７７】
別の実施形態によれば、サブピクセルは赤色サブピクセル及び他の色のサブピクセルを含み、赤色サブピクセルの双極子対電極軸角度は、他の色のサブピクセルの双極子対電極軸角度と異なっている。
【００７８】
別の実施形態によれば、他の色のサブピクセルは緑色及び青色サブピクセルを含み、赤色サブピクセルの双極子対電極軸角度は緑色及び青色サブピクセルの双極子対電極軸角度と異なっている。
【００７９】
別の実施形態によれば、赤色サブピクセルの双極子対電極軸角度は、緑色サブピクセル及び青色サブピクセルの双極子対電極軸角度よりも小さい。
【００８０】
別の実施形態によれば、ピクセル電極はシェブロン形状を有し、赤色サブピクセルのピクセル電極は緑色サブピクセル及び青色サブピクセルのピクセル電極のシェブロン形状よりも曲がりが小さいシェブロン形状を有する。
【００８１】
別の実施形態によれば、サブピクセルは、赤色サブピクセル、青色サブピクセル、及び緑色サブピクセルを含み、青色サブピクセル及び緑色サブピクセルは、赤色サブピクセルとは異なる形状のピクセル電極を有し、そのため、青色及び緑色サブピクセルは、赤色サブピクセルとは異なる形状を有する正規化透過率対印加電圧曲線を示す。
【００８２】
一実施形態によれば、赤色、緑色及び青色サブピクセルを含むピクセルの行及び列を有する液晶ディスプレイであって、上部及び下部ディスプレイ層、並びに上部及び下部ディスプレイ層の間の液晶材料の層を含む液晶ディスプレイが提供され、上部及び下部ディスプレイ層のうちの少なくとも１つは、基板と、基板上のオーバーコート層と、を含み、オーバーコート層は、黒色オブジェクトが色付き背景を横切って移動するときのモーションブラー効果を最小限に抑えるために、赤色サブピクセルと重なる領域に第１の厚さを有し、緑色サブピクセルと重なる領域に第１の厚さより厚い第２の厚さを有する。
【００８３】
別の実施形態によれば、基板は上部ディスプレイ層の一部を形成し、色付き背景は赤色サブピクセル値、緑色サブピクセル値、及び青色サブピクセル値を有し、赤色サブピクセル値は緑色サブピクセル値及び青色サブピクセル値より大きく、液晶ディスプレイは、基板上にカラーフィルタ素子のアレイを含む。
【００８４】
別の実施形態によれば、オーバーコート層はカラーフィルタ素子のアレイ上に形成される。
【００８５】
別の実施形態によれば、オーバーコート層は、緑色サブピクセルと青色サブピクセルの両方に重なる領域に第２の厚さを有する。
【００８６】
別の実施形態によれば、カラーフィルタ素子のアレイは、赤色サブピクセル内に赤色カラーフィルタ素子、緑色サブピクセル内に緑色カラーフィルタ素子、青色サブピクセル内に青色カラーフィルタ素子を含み、オーバーコート層は、赤色カラーフィルタ素子と重なる領域に第１の厚さを有し、青色及び緑色カラーフィルタ素子と重なる領域に第２の厚さを有する。
【００８７】
別の実施形態によれば、液晶ディスプレイは、下部ディスプレイ層に薄膜トランジスタの層を含む。
【００８８】
別の実施形態によれば、液晶ディスプレイは、上部ディスプレイ層に薄膜トランジスタの層を含む。
【００８９】
別の実施形態によれば、青色及び緑色サブピクセルは、赤色サブピクセルとは異なる形状を有する。
【００９０】
別の実施形態によれば、サブピクセルはシェブロン形状を有し、赤色サブピクセルは、緑色サブピクセル及び青色サブピクセルのシェブロン形状よりも曲がりが小さいシェブロン形状を有する。
【００９１】
一実施形態によれば、第１、第２及び第３の色のサブピクセルを含むピクセルの行及び列を有する液晶ディスプレイであって、上部層及び下部層を含むディスプレイ層、及び上部層と下部層の間に液晶材料の層を含む液晶ディスプレイが提供され、上部層と下部層のうちの少なくとも１つは、基板及びサブピクセルのための開口部を有する基板上の黒色マスキング層、並びにディスプレイ層に形成され、開口部の縁部と整列したピクセル電極を含み、第２及び第３の色のサブピクセルのピクセル電極は、第１の色のサブピクセルのピクセル電極と異なる形状を有する。
【００９２】
別の実施形態によれば、第１の色のサブピクセルのピクセル電極は第１のシェブロン形状を有し、第２及び第３の色のサブピクセルのピクセル電極は第１のシェブロン形状とは異なる第２のシェブロン形状を有する。
【００９３】
別の実施形態によれば、第１の色は、赤色を含む。
【００９４】
別の実施形態によれば、第２及び第３の色は、それぞれ緑色及び青色を含む。
【００９５】
別の実施形態によれば、第１のシェブロン形状開口部を有するピクセル電極は、第２のシェブロン形状を有するピクセル電極より曲がりが小さい。
【００９６】
上述の内容は単なる例示に過ぎず、説明された実施形態の範囲及び趣旨から逸脱することなく、当業者によって様々な修正を行うことができる。前述の実施形態は、個々に又は任意の組み合わせで実施され得る。
【図１】
0006511533.tif 000002
【図２】
0006511533.tif 000003
【図３】
0006511533.tif 000004
【図４】
0006511533.tif 000005
【図５】
0006511533.tif 000006
【図６】
0006511533.tif 000007
【図７】
0006511533.tif 000008
【図８】
0006511533.tif 000009
【図９】
0006511533.tif 000010
【図１０】
0006511533.tif 000011
【図１１】
0006511533.tif 000012
【図１２】
0006511533.tif 000013
【図１３】
0006511533.tif 000014
【図１４】
0006511533.tif 000015